(57)【要約】【課題】容易且つ確実に嵌入状態の確認ができると共に、電極間のスペースを有効利用できるコネクタを提供する。【解決手段】ベースハウジング３は、二つの第１端子２，２を支持する。ソケットハウジング５は、二つの第２端子４，４を支持し、ベースハウジング３に嵌入する。掛け止め要素６は、貫通するようにソケットハウジング５に対して挿入される。二つの第２端子４，４は、第１の端子グループ４ｆと、第２の端子グループ４ｓと、を有し、これらは、通電時において、その一方よりも他方が高電位となるタイミングを有するように、電圧の印加が可能なものである。第１の位置にある掛け止め要素６が押圧されると、掛け止め要素６とベースハウジング３とが接触することで第１の位置における掛け止めが解除され、掛け止め要素６は、第１の端子グループ４ｆと第２の端子グループ４ｓとの間の位置に配置されている。【選択図】図１１
2009004247.tif 000002
【特許請求の範囲】
【請求項１】
複数の第１端子を支持し、基板に取り付けられるベースハウジングと、
前記複数の第１端子に対して電気的に接続される複数の第２端子を支持し、前記ベースハウジングに嵌入するソケットハウジングと、
前記ソケットハウジングに対して掛け止めされ、且つ、前記ソケットハウジングを貫通するように前記ソケットハウジングに対して挿入される掛け止め要素と、を有し、
前記ベースハウジングに前記ソケットハウジングが嵌入すると、前記複数の第１端子と前記複数の第２端子とは電気的に接続された状態となり、
前記複数の第２端子は、少なくとも一つの前記第２端子を含む第１の端子グループと、少なくとも一つの前記第２端子を含む第２の端子グループと、を有して構成され、
前記第１の端子グループ及び前記第２の端子グループのそれぞれは、通電時において、前記第１の端子グループ及び前記第２の端子グループの一方よりも他方が高電位となるタイミングを有するように、電圧の印加が可能なものであり、
前記掛け止め要素は、前記ソケットハウジングに対して、第１の位置及び第２の位置の間で移動でき、且つ、前記第１の位置において前記ソケットハウジングに対して掛け止めされ、
前記ソケットハウジングが前記ベースハウジングに嵌入された状態において、前記第１の位置にある前記掛け止め要素が押圧されると、前記掛け止め要素と前記ベースハウジングとが接触することで前記第１の位置における掛け止めが解除され、前記掛け止め要素が前記第２の位置に移動可能となり、
前記掛け止め要素は、前記第１の端子グループと前記第２の端子グループとの間の位置において、前記ソケットハウジングを貫通するように配置されていることを特徴とするコネクタ。
【請求項２】
前記複数の第２端子に対して複数の電線が接続されており、
前記ソケットハウジングの前記ベースハウジングに対する嵌入方向と、前記ソケットハウジングからの前記電線の引き出し方向と、は直交していることを特徴とする請求項１に記載のコネクタ。
【請求項３】
前記ソケットハウジングには平面部が形成され、且つ、前記ソケットハウジングには、前記平面部に隣接して、前記平面部に対して窪んだ窪み部が形成されており、
前記掛け止め要素は、押圧される部分である板状の押圧部を有しており、
前記ソケットハウジングが前記ベースハウジングに嵌入した状態において、前記掛け止め要素が前記第２の位置にあるときに、前記ベースハウジングと前記ソケットハウジングとの接続が完了し、
前記ベースハウジングと前記ソケットハウジングとの接続が完了した状態では、前記窪み部に対して前記押圧部が嵌ることを特徴とする請求項１又は２に記載のコネクタ。
【請求項４】
前記押圧部には、押圧される押圧面が形成されており、
前記ベースハウジングと前記ソケットハウジングとの接続が完了して、前記窪み部に対して前記押圧部が嵌った状態では、前記平面部と前記押圧面とが、同一平面上に位置することを特徴とする請求項３に記載のコネクタ。
【請求項５】
前記掛け止め要素は、前記押圧部から突出形成された一対の第１脚部を有しており、
前記一対の第１脚部のそれぞれは、突出形成された第１突出部を有し、
前記ソケットハウジングは、一対の前記第１突出部が引っ掛けられることで、前記ソケットハウジングに対して前記掛け止め要素が掛け止めされる一対の第１突出受け部を有し、
前記ベースハウジングは、一対の前記第１突出部が引っ掛けられることで、前記ベースハウジングと前記掛け止め要素との分離を抑制する一対の第２突出受け部を有し、
前記一対の第１脚部のそれぞれには第１掛け止め解除部が形成され、且つ、前記ベースハウジングには一対の第２掛け止め解除部が形成されており、
前記ソケットハウジングが前記ベースハウジングに嵌入された状態において、前記第１の位置にある前記掛け止め要素が押圧されると、前記掛け止め要素の一対の前記第１掛け止め解除部と、前記ベースハウジングの前記一対の第２掛け止め解除部と、が接触することで、前記一対の第１脚部が弾性的に撓み、一対の前記第１突出部が前記一対の第１突出受け部から外れることで前記第１の位置における掛け止めが解除され、前記掛け止め要素が前記第２の位置に移動可能となり、
前記ソケットハウジングが前記ベースハウジングに嵌入した状態において、前記掛け止め要素が前記第２の位置にあるときに、一対の前記第１突出部が前記一対の第２突出受け部に引っ掛けられることで、前記ベースハウジングと前記ソケットハウジングとの接続が完了することを特徴とする請求項１乃至４のいずれか１項に記載のコネクタ。
【請求項６】
前記ソケットハウジング及び前記ベースハウジングの一方は、突出形成された突出部を有し、他方は、前記突出部が引っ掛けられることで、前記ベースハウジングと前記ソケットハウジングとの分離を抑制する突出受け部を有し、
前記ソケットハウジングが前記ベースハウジングに嵌入した状態においては、前記突出部は前記突出受け部に引っ掛けられた状態となり、
前記掛け止め要素は、前記ソケットハウジングが前記ベースハウジングに嵌入した状態において、前記掛け止め要素が前記第２の位置にあるときに、前記突出部が前記突出受け部から外れることを抑制することを特徴とする請求項１乃至５のいずれか１項に記載のコネクタ。
【発明の詳細な説明】
【技術分野】
【０００１】
本発明は、掛け止め要素を有するコネクタに関する。
【背景技術】
【０００２】
従来のコネクタの一例が特許文献１、２に開示されている。特許文献１の雄コネクタは、絶縁ハウジンクに収容された２本のピンコンタクトが、ハウジングの中心線と平行してハウジングの開口部に突出する接触ピン部と、ハウジンクから延出してプリント配線板にはんだ付けされるリード部とを有し、開口部に他の雌コネクタが挿入して嵌合される雄コネクタであって、ハウジング内に、両接触ピン部の中間に配設され、かつ、両接触ピン部の先端より長く突出する隔壁が設けられており、一方、両リード部は、互いに横外側方へ屈曲して延出させ、そのはんだ付け部分のピッチが両接触ピン部のピッチより大きく形成されていることを特徴とする。一方、特許文献１において、雄コネクタの開口部に挿入して嵌合される雌コネクタは、接触ピン部に嵌合するソケットコンタクトを収容する絶縁ハウジングが、隔壁に係合する欠除部を有する二股状に形成されていると共に、開口部の内側面に設けられた係止部に係合する係止手段を有している。このような雄コネクタ及び雌コネクタにより、小型化を図りながら、コンタクト間の沿面距離及び空間距離を大きくして、高電圧に対応できる。
【０００３】
また、特許文献２のコネクタは、第１の電気コネクタ要素を支持する第１の構成要素と、第１の電気コネクタ要素に嵌挿される第２の電気コネクタ要素を支持する第２の構成要素と、第１の構成要素に取り付けられ、第１の電気コネクタ要素を電気的に短絡させる短絡要素と、第２の構成要素に対して掛け止めされる掛け止め要素であって、第２の構成要素が第１の構成要素に嵌挿されると、短絡要素を非短絡位置まで退避させるとともに第１の構成要素に対して係合するよう移動可能となる掛け止め要素と、を備えており、掛け止め要素が係合されることにより、第１の構成要素と第２の構成要素の分離が阻止される。
【０００４】
【特許文献１】特開平１０−１７２６４９号公報
【特許文献２】特開２００２−３２４３６３８号公報
【発明の開示】
【発明が解決しようとする課題】
【０００５】
特許文献１のコネクタには係止突片と係止溝とが設けられ、係合時におけるクリック感によって嵌合状態を確認できるようになっている。しかし、コネクタにおいては、より容易に、また、より確実に嵌合状態を確認できることが望ましい。
【０００６】
また、例えば、液晶パネルのインバータ基板については、近年の液晶パネルの大型化に伴い、その印加電圧が高くなってきている。通常、液晶パネルのインバータ基板等に使用される電源接続用のコネクタは、２極型（又は実質的に２極型）であり、一方の電極が、電源用電線（ホットライン）に接続され、他方が、接地電位とするためのグラウンド用電線（コールドライン）に接続される。このような電源接続用のコネクタにおいては、２極間に大きな電位差が生じることがあり、電極間の短絡を防止するため、例えば“１００ｖの（最大）電位差ごとに間隔１ｍｍ”というように、最大となる電位差の大きさに応じて、電極間の距離を長くする必要がある。そして、電極間の最大の電位差が大きくなるほど電極間距離は長くなるため、電極間のスペースが有効に利用されることが望ましい。
【０００７】
また、特許文献２のコネクタは２極型であり、掛け止め要素は、二つの電気端子（及びピン）を覆うように配置されている。そのため、特許文献２の技術においては、電極間のスペースが利用されているわけではない。
【０００８】
そこで、本発明の目的は、容易且つ確実に嵌入状態の確認ができると共に、電極間のスペースを有効利用できるコネクタを提供することである。
【課題を解決するための手段及び効果】
【０００９】
上記の目的を達成するために、本発明に係るコネクタは、  複数の第１端子を支持し、基板に取り付けられるベースハウジングと、前記複数の第１端子に対して電気的に接続される複数の第２端子を支持し、前記ベースハウジングに嵌入するソケットハウジングと、前記ソケットハウジングに対して掛け止めされ、且つ、前記ソケットハウジングを貫通するように前記ソケットハウジングに対して挿入される掛け止め要素と、を有する。そして、前記ベースハウジングに前記ソケットハウジングが嵌入すると、前記複数の第１端子と前記複数の第２端子とは電気的に接続された状態となり、前記複数の第２端子は、少なくとも一つの前記第２端子を含む第１の端子グループと、少なくとも一つの前記第２端子を含む第２の端子グループと、を有して構成され、前記第１の端子グループ及び前記第２の端子グループのそれぞれは、通電時において、前記第１の端子グループ及び前記第２の端子グループの一方よりも他方が高電位となるタイミングを有するように、電圧の印加が可能なものであり、前記掛け止め要素は、前記ソケットハウジングに対して、第１の位置及び第２の位置の間で移動でき、且つ、前記第１の位置において前記ソケットハウジングに対して掛け止めされ、前記ソケットハウジングが前記ベースハウジングに嵌入された状態において、前記第１の位置にある前記掛け止め要素が押圧されると、前記掛け止め要素と前記ベースハウジングとが接触することで前記第１の位置における掛け止めが解除され、前記掛け止め要素が前記第２の位置に移動可能となり、前記掛け止め要素は、前記第１の端子グループと前記第２の端子グループとの間の位置において、前記ソケットハウジングを貫通するように配置されている。
【００１０】
この構成によると、ソケットハウジングがベースハウジングに嵌入された状態において、第１の位置にある掛け止め要素が押圧されると、掛け止め要素とベースハウジングとが接触することで第１の位置における掛け止めが解除され、掛け止め要素が第２の位置に移動可能となる。そのため、掛け止め要素が第１の位置から移動可能かどうかを確認することによって、容易且つ確実に嵌入状態の確認ができる。
【００１１】
また、この構成によると、掛け止め要素は、複数の第２端子における、第１の端子グループと第２の端子グループとの間の位置において、ソケットハウジングを貫通するように配置される。すなわち、第１の端子グループ及び第２の端子グループからなる実質的に２極型のコネクタにおいて、掛け止め要素が電極間に挿入されることになる。そのため、例えば、高電圧の印加が必要な基板に用いられる、電源接続用のコネクタにおいて、広げられた電極間のスペースを有効利用できる。
【００１２】
また、２極間の最大電位差が大きい場合には、電極間は絶縁されている必要があり、それに関連して、２極間における電流の伝達距離は長い方が良い。そこで、この構成によると、まず、掛け止め要素を絶縁材料を用いて形成し、その掛け止め要素を電極間に挿入することで、少なくとも、掛け止め要素が無い場合と同程度の絶縁性能は確保される。さらに、掛け止め要素を挿入するための挿入孔をハウジングに形成し、そこに掛け止め要素を挿入する構成とすることで、ハウジングにおいて、少なくとも電極間部分の沿面距離が確保されるために、掛け止め要素及び挿入孔が無い均一な状態に比べて、２極間における電流の伝達距離を長くすることができる。その結果、電極間（第１端子グループと第２端子グループとの間）において電流が流れ難くなり、２極間の最大電位差が大きい場合であっても、電極間がより確実に絶縁される。以上のように、この構成によると、容易且つ確実に嵌入状態の確認ができると共に、電極間のスペースを有効利用できる。
【００１３】
なお、“前記第１の端子グループ及び前記第２の端子グループの一方よりも他方が高電位となるタイミングを有する”とは、例えば、第１の端子グループ及び第２の端子グループのそれぞれに対して交流電圧が印加された場合に、一方が、他方よりも高電位になるタイミング（瞬間）があればよい、という意味であり、この場合の第１の端子グループ及び第２の端子グループの電位の高低の関係は、時間の経過と共に入れ替わるものであってもよい。また、例えば、第１の端子グループ及び第２の端子グループのそれぞれに対して直流電圧が印加されるような場合には、一方が他方よりも高電位である状態が維持されることも考えられるが、このような状態も含まれる意味であるとする。
【００１４】
前記複数の第２端子に対して複数の電線が接続されており、前記ソケットハウジングの前記ベースハウジングに対する嵌入方向と、前記ソケットハウジングからの前記電線の引き出し方向と、は直交していてもよい。これによると、電線の引き出し方向と嵌入方向とが直交しているために、電線が引っ張られた場合であっても、ソケットハウジングがベースハウジングから抜けにくい構造とすることができる。
【００１５】
前記ソケットハウジングには平面部が形成され、且つ、前記ソケットハウジングには、前記平面部に隣接して、前記平面部に対して窪んだ窪み部が形成されており、前記掛け止め要素は、押圧される部分である板状の押圧部を有しており、前記ソケットハウジングが前記ベースハウジングに嵌入した状態において、前記掛け止め要素が前記第２の位置にあるときに、前記ベースハウジングと前記ソケットハウジングとの接続が完了し、前記ベースハウジングと前記ソケットハウジングとの接続が完了した状態では、前記窪み部に対して前記押圧部が嵌ってもよい。これによると、押圧部が窪み部に嵌っていることを確認することで、容易に嵌合確認をすることができる。
【００１６】
なお、ここで、“窪み部に対して押圧部が嵌る”とは、押圧部が窪み部に落ち込み、押圧部の底面が平面部よりも低い状態になることであり、押圧面が平面部に対して高い位置にある場合、低い位置にある場合、及び、同一平面上にある場合の三つの場合を含むものとする。
【００１７】
前記押圧部には、押圧される押圧面が形成されており、前記ベースハウジングと前記ソケットハウジングとの接続が完了して、前記窪み部に対して前記押圧部が嵌った状態では、前記平面部と前記押圧面とが、同一平面上に位置していてもよい。これによると、平面部と押圧面との位置関係を、指で触ること等により比べることで、容易且つ確実に嵌合確認をすることができる。
【００１８】
前記掛け止め要素は、前記押圧部から突出形成された一対の第１脚部を有しており、前記一対の第１脚部のそれぞれは、突出形成された第１突出部を有し、前記ソケットハウジングは、一対の前記第１突出部が引っ掛けられることで、前記ソケットハウジングに対して前記掛け止め要素が掛け止めされる一対の第１突出受け部を有し、前記ベースハウジングは、一対の前記第１突出部が引っ掛けられることで、前記ベースハウジングと前記掛け止め要素との分離を抑制する一対の第２突出受け部を有し、前記一対の第１脚部のそれぞれには第１掛け止め解除部が形成され、且つ、前記ベースハウジングには一対の第２掛け止め解除部が形成されており、前記ソケットハウジングが前記ベースハウジングに嵌入された状態において、前記第１の位置にある前記掛け止め要素が押圧されると、前記掛け止め要素の一対の前記第１掛け止め解除部と、前記ベースハウジングの前記一対の第２掛け止め解除部と、が接触することで、前記一対の第１脚部が弾性的に撓み、一対の前記第１突出部が前記一対の第１突出受け部から外れることで前記第１の位置における掛け止めが解除され、前記掛け止め要素が前記第２の位置に移動可能となり、前記ソケットハウジングが前記ベースハウジングに嵌入した状態において、前記掛け止め要素が前記第２の位置にあるときに、一対の前記第１突出部が前記一対の第２突出受け部に引っ掛けられることで、前記ベースハウジングと前記ソケットハウジングとの接続が完了してもよい。これによると、容易且つ確実に嵌入状態の確認ができる構成を、簡易な構成により実現できる。また、コネクタの接続動作と、掛け止め要素の押し込み動作とを、一連の動作で、且つ、全体として一回の動作で実現できる。また、掛け止め要素によって、ソケットハウジング及びベースハウジングの分離を確実に抑制できる。
【００１９】
前記ソケットハウジング及び前記ベースハウジングの一方は、突出形成された突出部を有し、他方は、前記突出部が引っ掛けられることで、前記ベースハウジングと前記ソケットハウジングとの分離を抑制する突出受け部を有し、前記ソケットハウジングが前記ベースハウジングに嵌入した状態においては、前記突出部は前記突出受け部に引っ掛けられた状態となり、前記掛け止め要素は、前記ソケットハウジングが前記ベースハウジングに嵌入した状態において、前記掛け止め要素が前記第２の位置にあるときに、前記突出部が前記突出受け部から外れることを抑制してもよい。これによると、突出部が突出受け部に引っ掛けられることで、ソケットハウジングとベースハウジングとの分離が抑制され、さらに、掛け止め要素によって、突出部が突出受け部から外れることが抑制されるので、ソケットハウジング及びベースハウジングの分離をより確実に防止できる。
【発明を実施するための最良の形態】
【００２０】
以下、本発明の好適な実施形態について図面を参照しつつ説明する。以下においては、説明の便宜のために本発明の好適な実施形態例のみを示すが、これにより本発明を限定するものではない。
【００２１】
（全体構成について）
まず、本発明の第１実施形態に係るコネクタの全体構成について説明する。図１は、本発明の第１実施形態に係るコネクタの全体構成を示す側面視概略図である。図２は、図１のベースハウジングの概略図であり、（ａ）は背面図、（ｂ）は上面図、（ｃ）は正面図、（ｄ）は側面図を示す。図３は、図１のソケットハウジングの概略図であり、（ａ）は背面図、（ｂ）は上面図、（ｃ）は正面図、（ｄ）は側面図を示す。図４は、図１の掛け止め要素の概略図であり、（ａ）は上面図、（ｂ）は側面図、（ｄ）は背面図を示す。図５は、図１のコネクタの接続動作における一過程を示す斜視概略図である。図６は、図１のコネクタの接続動作における一過程を示す斜視概略図である。図７は、図１のコネクタの接続動作における接続完了状態を示す斜視概略図である。図８は、図１のコネクタの接続動作における一過程を示す断面斜視概略図である。図９は、図１のコネクタの接続動作における一過程を示す断面斜視概略図である。図１０は、図１のコネクタの接続動作における接続完了状態を示す断面斜視概略図である。図１１は、図１のコネクタの接続動作における接続完了状態を示す断面概略図である。図１２は。図１のコネクタの接続動作を示す断面概略図であり、（ａ）は接続完了前の状態、（ｂ）は接続完了状態を示す。
【００２２】
なお、図１の破線部、一点鎖線部は、外部からは見えない内部構造を示したものである。また、図２、３において、（ａ）、（ｃ）及び（ｄ）は、それぞれ、（ｂ）のＡ−Ａ’、Ｂ−Ｂ’及びＣ−Ｃ’矢視図に相当する。また、図４において、（ｂ）及び（ｃ）は、（ａ）のＤ−Ｄ’及びＥ−Ｅ’矢視図に相当する。また、図１１は、図１０の断面を正面から見た断面図に該当し、図７におけるＦ−Ｆ’矢視断面図に相当する。また、図１２（ａ）は、図６におけるＧ−Ｇ’断面に相当し、図１２（ｂ）は、図７におけるＨ−Ｈ’断面に相当する。
【００２３】
本実施形態にかかるコネクタ１は、液晶パネルのインバータ基板１０と電源（図示せず）とを接続するためのものであり、図１に示すように、ベースハウジング３と、ソケットハウジング５と、掛け止め要素６と、を有して構成されている。なお、本実施形態において、ソケットハウジング５、ベースハウジング３及び掛け止め要素６の材料は、各種の導線、端子を除いて、プラスチック（絶縁材料）である。
【００２４】
ベースハウジング３は、インバータ基板（基板）１０に取り付けられ、基板上の各電子部品（図示せず）に対して電気的に接続されている。ソケットハウジング５は、ベースハウジング３に対して嵌入するものであり、ソケットハウジング５には、電源に接続するための電線７が接続されている。そして、ソケットハウジング５がベースハウジング３に嵌入すると、両者の電気的接続が達成され、インバータ基板１０に対して電力が供給されるようになっている。また、掛け止め要素６が掛け止め位置（第１の位置）から奥の位置（第２の位置）へと挿入されることで、ソケットハウジング５とベースハウジング３との分離が確実に抑制され、ソケットハウジング５とベースハウジング３との接続が完了するようになっている（掛け止め要素６が第２の位置にあるときに、ベースハウジング３とソケットハウジング５との接続が完了する）。また、掛け止め要素６の挿入状態により、両者の嵌入及び接続が完了しているかどうかを容易に判断することができる。
【００２５】
また、ソケットハウジング５のベースハウジング３に対する嵌入方向（図１の矢印参照）と、ソケットハウジング５からの電線７の引き出し方向（図１の矢印方向参照）と、は直交している。すなわち、コネクタ１はＬ字接続型コネクタとなっている。
【００２６】
以下、コネクタ１の各部について説明する。以下の説明において、掛け止め要素６が掛け止められた状態とは、掛け止め要素６が、挿入方向について手前側、奥側の両方への移動を制限されている状態をいうものとする。また、以下の説明において、上下、左右とは、図面に対応した上下、左右であるものとする。
【００２７】
（ベースハウジング）
ベースハウジング３は、基板１０に取り付けられるものであり、本体部３ｂを有し、二つの第１端子２，２を支持するように構成されている（図２（ｂ）、（ｃ）、図８乃至１１参照）。そして、二つの第１端子２，２は、基板１０上の電子部品（図示せず）に対して電気的に接続されている。なお、本実施形態においては、ベースハウジング３は、二つの第１端子２，２を支持するように構成されているが、ベースハウジングは、複数の第１端子を支持するように構成されていればよく、三つ以上の第１端子を支持していてもよい。
【００２８】
ベースハウジング３は、一対の第２突出受け部３ｃ，３ｃを有している（図８乃至１１参照）。コネクタ１の接続完了時には、この一対の第２突出受け部３ｃ，３ｃに、後述する掛け止め要素６の一対の第１突出部６ｃ，６ｃが引っ掛けられることで、ベースハウジング３と掛け止め要素６との分離が抑制される。
【００２９】
また、ベースハウジング３には、一対の第２掛け止め解除部３ｋ，３ｋが形成されている（図８乃至１１参照）。一対の第２掛け止め解除部３ｋ，３ｋは、底部から立ち上がるように設けられた中心壁部６ｍの上部（嵌入方向手前側の部分）において、図１１における左右方向に突出した部分であり、そのさらに上部（嵌入方向手前側の部分）には、傾斜面３ｘ，３ｘが形成されている（図１１参照）。傾斜面３ｘ，３ｘは、後述するように、掛け止め要素６の第１掛け止め解除部６ｋ，６ｋを受け止め、嵌入動作に従い、掛け止めを解除する力を生じさせる働きをする。また、本実施形態においては、一対の第２突出受け部３ｃ，３ｃは、一対の第２掛け止め解除部３ｋ，３ｋの、図１１における下面（嵌入方向奥側の面）に形成されている。また、第２掛け止め解除部３ｋ，３ｋの傾斜面３ｘ，３ｘは、嵌入方向に垂直な方向（図１１の“垂直方向”参照。本実施形態おいては図１の引き出し方向に等しい）に沿って連続するように形成されており、第２突出受け部３ｃ，３ｃは、傾斜面３ｘ，３ｘよりも嵌入方向奥側において、上記垂直方向に沿って連続するように形成されている。なお、本実施形態は一例を示したものであり、一対の第２掛け止め解除部と、一対の第２突出受け部とは、独立して別々に設けられていてもよい。また、電線の引き出し方向と、図１１の垂直方向とは、一致していなくてもよい。
【００３０】
また、ベースハウジング３は、突出受け部３ｐを有して構成されている（図１２参照）。この突出受け部３ｐに、後述するソケットハウジング５の突出部５ｐが引っ掛けられることで、ベースハウジング３とソケットハウジング５との分離が抑制される。
【００３１】
また、ベースハウジング３の上部（嵌入方向手前側の部分）には、二つの挿入孔３ｈ，３ｈ、二つの角環状の溝部３ｍ，３ｍ、二つの角環状の壁部３ｎ，３ｎ、二つの挿入孔３ｚ，３ｚが形成されている（図２、１１等参照）。挿入孔３ｈは、壁部３ｎの内部に形成されており、溝部３ｍは、壁部３ｎの周囲に形成されている（他方の挿入孔３ｈ、溝部３ｍについても同様）。挿入孔３ｈ，３ｈの内部には第１端子２，２が配置されており、且つ、挿入孔３ｈ，３ｈには第２端子４，４が挿入され、溝部３ｍ，３ｍには、後述する挿入部５ｗ，５ｗが挿入され、挿入孔３ｚ，３ｚには、後述する掛け止め要素６の第１脚部６ｂ，６ｂが挿入される。
【００３２】
（第１端子について）
二つの第１端子２，２は、図８乃至１１に示すように、後述する二つの第２端子４，４の板状先端部４ｒを挟んで受け入れるように、図８乃至１１の断面において、嵌入方向手前側に開口する変形Ｃ字状となるように形成されている（図２（ｃ）、図８乃至１１参照）。また、二つの第１端子２，２は、弾性変形をしつつ、二つの第２端子４，４を挟むことができるように構成されている。すなわち、断面のＣ字形状における開口部の幅が、当初は狭くなっており、第２端子４の板状先端部４ｒの挿入に伴って拡がるようになっている。
【００３３】
（ソケットハウジング）
ソケットハウジング５は、本体部５ｄを有し、二つの第１端子２，２に対して電気的に接続される二つの第２端子４，４を支持するように構成されている。また、ソケットハウジング５は、上記のように、コネクタ１の接続時にベースハウジング３に嵌入するものである。なお、本実施形態においては、ソケットハウジング５は、二つの第２端子４，４を支持するように構成されているが、ソケットハウジングは、複数の第２端子を支持するように構成されていればよく、三つ以上の第２端子を支持していてもよい。
【００３４】
ソケットハウジング５は、本体部５ｄと、二つの挿入部５ｗ，５ｗと、支持部５ｇとを有して形成されている（図３参照）。コネクタ１の接続時には、二つの挿入部５ｗ，５ｗがベースハウジング３に挿入される（図８乃至１１参照）。また、ソケットハウジング５は、一対の第２端子４，４同士を絶縁するように構成されている。
【００３５】
また、ソケットハウジング５には平面部５ｓが形成され、さらに、ソケットハウジング５には、平面部５ｓに隣接して、平面部５ｓに対して窪んだ窪み部５ｔが形成されている（図３、図５乃至１２参照）。平面部５ｓ及び窪み部５ｔは、ソケットハウジング５の、嵌入方向手前側に形成されている。また、ソケットハウジング５は、一対の第１突出受け部５ｂ，５ｂを有して構成されている（図８乃至１１参照）。一対の第１突出受け部５ｂ，５ｂに、後述する掛け止め要素６の一対の第１突出部６ｃ，６ｃが引っ掛けられることで、ソケットハウジング５に対して掛け止め要素６が掛け止めされる（図８参照）。
【００３６】
また、ソケットハウジング５は、突出形成された突出部５ｐを有している（図１２参照）。より具体的には、ソケットハウジング５には、板状の支持部５ｇが設けられており、突出部５ｐは、その嵌入方向奥側の端部において、嵌入方向と直交する方向（本実施形態においては、引き出し方向）に向かって突出するように形成されている（図１２参照）。また、ソケットハウジング５は、支持部５ｇと本体部５ｄとが、嵌入方向に関する支持部５ｇの中央部分（結合部５ｙ）において結合するように形成されており、その嵌入方向手前側の端部には、押圧面５ｖ、５ｚが形成されている（図３（ｂ）、（ｄ）等参照）。そして、この押圧面５ｖが、電線７の引き出し方向とは反対の方向に押圧されると、本体部５ｄと支持部５ｇとの結合部５ｙを中心として、突出部５ｐが引き出し方向へ移動するように（すなわち、図１２において、突出部５ｐが、突出受け部３ｐから外れ難くなるように）、支持部５ｇが変形する。一方、押圧面５ｚが、引き出し方向へと押圧されると、突出部５ｐが、引き出し方向とは反対の方向へ移動するように（すなわち、図１２において、突出部５ｐが、突出受け部３ｐから外れ易くなるように）、支持部５ｇが変形する。なお、支持部５ｇと本体部５ｄとは、一体として形成されたものであってもよく、別体として形成されたものを結合したものであってもよい。
【００３７】
なお、本実施形態においては、ソケットハウジング５が突出部５ｐを有し、ベースハウジング３が突出受け部３ｐを有して構成されている。しかし、ソケットハウジング５及びベースハウジング３の一方が突出形成された突出部を有し、且つ、他方が突出受け部を有していればよいため、本実施形態とは逆に、ソケットハウジングが突出受け部を有し、ベースハウジングが突出部を有して構成されてもよい。
【００３８】
また、ソケットハウジング５には、二つの挿入孔５ｊ，５ｊが形成されている（図３等参照）。挿入孔５ｊ，５ｊには、後述する掛け止め要素６の一対の第１脚部６ｂ，６ｂが挿入される。
【００３９】
（第２端子について）
二つの第２端子４，４は、第１の端子グループ４ｆと、第２の端子グループ４ｓと、を有して構成されている（図３（ａ）、図８乃至１１参照）。本実施形態においては、第１の端子グループ４ｆ、及び、第２の端子グループ４ｓには、それぞれ一つの第２端子４が含まれる。また、二つの第２端子４，４に対して二つの電線７，７が接続されており、より具体的には、第１の端子グループ４ｆの第２端子４には電線７ｆが、第２の端子グループ４ｓの第２端子４には電線７ｓが、それぞれ接続されている（図８乃至１１参照）。そして、電線７ｆは、電源用電線（ホットライン）となっており、電線７ｓは、接地電位とするためのグラウンド用電線（コールドライン）となっている。なお、本実施形態では、電線７ｆを電源用、電線７ｓをグラウンド用としているが、これは逆であってもよい。
【００４０】
そして、第１の端子グループ４ｆ及び第２の端子グループ４ｓのそれぞれは、通電時において、第１の端子グループ４ｆ及び第２の端子グループ４ｓの一方よりも他方が高電位となるタイミングを有するように、電圧の印加が可能なものである。そして、第１の端子グループ４ｆ及び第２の端子グループ４ｓには、そのようなタイミングが生じるように電圧（交流電圧）が印加される。そして、第１の端子グループ４ｆ及び第２の端子グループ４ｓのそれぞれには、一方が他方よりも高電位になるという高低関係を互いに入れ替えつつ、交流電圧が印加される。具体的には、電線７ｓは接地電位に維持され、電線７ｆの電位が、高電位側（正側）及び低電位側（負側）の間で周期的に変化するため、第１の端子グループ４ｆ及び第２の端子グループ４ｓの一方が他方よりも高電位となるタイミングが生じる（両者の電位が同電位になる瞬間もある）。
【００４１】
このように、２極間（第１の端子グループ４ｆと第２の端子グループ４ｓとの間）には時間の経過に応じて電位差が生じる。また、電極間の短絡を防止するため、最大となる電位差の大きさに応じて電極間の距離（図１１のＬ参照）を長くする必要がある。一例として、本実施形態においては、１００ｖの（最大）電位差ごとに間隔が１ｍｍとなるように電極間の距離Ｌを設定する。電極間の最大電位差が大きくなるほど、電極間距離Ｌは長くなる。例えば、２極間の最大電位差が１５００ｖであれば、Ｌは１５ｍｍとなる。
【００４２】
なお、本実施形態では、第２端子が二つであるので、接続される電線も二つであるが、複数の第２端子が設けられている場合には、それに対して複数の電線が接続されることになる（後述する第４実施形態参照）。
【００４３】
第２端子４，４のそれぞれは、嵌入方向に沿った部分から、引き出し方向に沿った部分へと連続するように形成されており、Ｌ字状に向きを変えて電線７，７に接続される（図１参照）。電線７，７は絶縁外装されており、この外装部の端部においては、第１端子２，２との電気的接続のために内部の導体が露出している。そして、電線７，７は、例えば第１端子２，２の一部を電線７，７の導体端部の周りに圧着する等の方法により取り付けられる。上記のように、二つの第２端子４，４は、二つの第１端子２，２と電気的に接続されるものであり、それぞれ、金属板から各種加工を経て形成され、第１端子２，２に受け入れられるような形状及び寸法を有している。具体的には、一対の第２端子４，４のそれぞれは、電線７に接続される電線接続部４ｘと、第１端子２に対して挿入される板状先端部４ｒとを有して構成されている（図１参照）。
【００４４】
また、ベースハウジング３によって支持される二つの第１端子２，２は、第２端子４，４と電気的に接続される。そのため、第２端子４，４と同様に、第１端子２，２も、第１の端子グループ２ｆ、及び、第２の端子グループ２ｓを有して構成されることになる（図２（ｂ），（ｃ）、図８乃至１１参照）。そして、第２端子４，４と同様に、第１の端子グループ２ｆ及び第２の端子グループ２ｓのそれぞれは、通電時において、第１の端子グループ２ｆ及び第２の端子グループ２ｓの一方よりも他方が高電位となるタイミングを有するように、電圧の印加が可能なものである。そして、第１の端子グループ２ｆ及び第２の端子グループ２ｓには、そのようなタイミングが生じるように電圧が印加される。
【００４５】
本実施形態では、二つの第２端子４，４が設けられているため、第１の端子グループ４ｆ、及び、第２の端子グループ４ｓは、それぞれ一つの第２端子４を有して構成されている。しかし、このような形態には限られず、ソケットハウジングは（三つ以上の）複数の第２端子を支持するように構成されていてもよく、その場合には、複数の第２端子は、少なくとも一つの第２端子を含む第１の端子グループと、少なくとも一つの第２端子を含む第２の端子グループと、を有して構成されることになる（後述する第４実施形態参照）。
【００４６】
また、本実施形態とは異なり、ベースハウジング、及び、ソケットハウジングが、三つ以上の第１端子、第２端子を支持するように構成される場合には、第１端子における第１の端子グループ、及び、第２の端子グループは、それぞれ、第２の端子における第１の端子グループ、及び、第２の端子グループに対応するように分けられる（後述する第４実施形態参照）。
【００４７】
（掛け止め要素）
掛け止め要素６は、ソケットハウジング５に対して掛け止めされ、且つ、ソケットハウジング５を貫通するようにソケットハウジング５に対して挿入されるものである。掛け止め要素６は、ソケットハウジング５に対して、第１の位置及び第２の位置の間で移動できるように、ソケットハウジング５へ取り付けられている。そして、掛け止め要素６は、第１の位置においてソケットハウジング５に対して掛け止めされる。
【００４８】
また、掛け止め要素６は、ソケットハウジング５に対して、第１の端子グループ４ｆと第２の端子グループ４ｓとの間の位置において、ソケットハウジング５を貫通するように配置されている（図８乃至１１参照）。また、掛け止め要素６は、コネクタ１の接続完了時においては、第１の端子グループ２ｆの第１端子２と、第２の端子グループ２ｓの第１端子２と、の間の位置に配置されることになる（図８乃至１１参照）。
【００４９】
掛け止め要素６は、押圧される部分である板状の押圧部６ｐと、押圧部６ｐから板状に突出形成された一対の第１脚部６ｂ，６ｂと、を有して構成されている（図４参照）。押圧部６ｐは、平面視において長方形形状を有する（短手方向と長手方向とを有する）板状部材である。また、押圧部６ｐには、押圧される面となる押圧面６ｓが形成されている（図４乃至１１参照）。一対の第１脚部６ｂ，６ｂは、ソケットハウジング５に形成された挿入孔５ｊ，５ｊ、及び、ベースハウジング３に形成された挿入孔３ｚ，３ｚに挿入されるような寸法及び配置とされている。なお、第１脚部は、板状に突出形成されたものでなくてもよく、例えば、棒状であってもよい。また、第１脚部の数は二つでなくてもよい。
【００５０】
一対の第１脚部６ｂ，６ｂのそれぞれは、突出形成された第１突出部６ｃを有している（図４参照）。また、一対の第１脚部６ｂ，６ｂのそれぞれには、第１掛け止め解除部６ｋが形成されている（図４参照）。そして、一対の第１脚部６ｂ，６ｂは、一対の第１突出部６ｃ，６ｃ同士、及び、一対の第１掛け止め解除部６ｋ，６ｋ同士が対向するように配置されている。また、掛け止め要素６において、一対の第１突出部６ｃ，６ｃ、及び、一対の第１掛け止め解除部６ｋ，６ｋは、互いの方向に向かって突出形成されている。すなわち、掛け止め要素６がソケットハウジング５に対して掛け止めされており、且つ、ソケットハウジング５がベ−スハウジング３に嵌入した状態において、一対の第１突出部６ｃ，６ｃ、及び、一対の第１掛け止め解除部６ｋ，６ｋは、嵌入方向に対してほぼ直交する方向に突出する。一対の第１突出部６ｃ，６ｃ、及び、一対の第１掛け止め解除部６ｋ，６ｋは、このように、嵌入方向に対してほぼ直交する方向に突出していることが望ましい。
【００５１】
本実施形態では、一対の第１脚部６ｂ，６ｂは、押圧部６ｐから、嵌入方向に沿って突出するように形成されている。すなわち、一対の第１脚部６ｂ，６ｂは、ソケットハウジング５がベースハウジング３に嵌入した状態において、掛け止め要素６が第１の位置にあるときに、その長手方向が嵌入方向に沿うように配置される。なお、第１脚部６ｂ，６ｂの突出方向は、嵌入方向に沿った方向でなくてもよい。
【００５２】
また、一対の第１掛け止め解除部６ｋ，６ｋの間における最短距離（図１１のＷ２）は、一対の第２掛け止め解除部３ｋ，３ｋにおける、一対の第１脚部６ｃ，６ｃの対向方向に関する最大幅（図１１のＷ１）よりも短くなっている。
【００５３】
（接続動作）
次に、コネクタ１の接続動作について図を参照しつつ説明する。始めの状態においては、図１に示すように、掛け止め要素６が、ソケットハウジング５に対して、予め第１の位置で掛け止めされている。図５はこの状態を表わしている。この状態では、一対の第１突出受け部５ｂ，５ｂに、掛け止め要素６の一対の第１突出部６ｃ，６ｃが引っ掛けられることで、ソケットハウジング５に対して掛け止め要素６が掛け止めされている。詳細については後述するが、掛け止め要素６は、ソケットハウジング５がベースハウジング３に対して嵌入した状態（嵌入完了状態）にならない限り、第１の位置から第２の位置へは移動できないようになっている。そのため、掛け止め要素が第１の位置から移動可能かどうかを確認することによって、容易且つ確実に嵌入状態の確認ができるようになっている。
【００５４】
ここで、例えばソケットハウジング５の側面を手で持ち、二つの挿入部５ｗ，５ｗの下端を、ベースハウジング３の一対の溝部３ｍ，３ｍ内に挿入する。この状態が図８に示されている。図８は、ベースハウジング３に対するソケットハウジング５の初期挿入状態を示すものである。
【００５５】
そして、例えば指で押圧部６ｐを押圧することにより、さらにソケットハウジング５をベースハウジング３に対して挿入すると、ソケットハウジング５がベースハウジング３に対して嵌入した状態となる（図６参照）。図６のように、ソケットハウジング５がベースハウジング３に嵌入した状態（嵌入が完了した状態）においては、突出部５ｐは突出受け部３ｐに引っ掛けられた状態となり、ベースハウジング３とソケットハウジング５との分離が抑制される（図１２（ａ）参照）。また、図６の状態では、二つの第１端子２，２と、二つの第２端子４，４とが接触し、これらが電気的に接続された状態になっている。
【００５６】
ここまでの動作では、掛け止め要素６は第１の位置にある。第１の位置においては、一対の第１突出受け部５ｂ，５ｂに、掛け止め要素６の一対の第１突出部６ｃ，６ｃが引っ掛けられることで、ソケットハウジング５に対して掛け止め要素６が掛け止めされた状態となっている。そして、上記のように、嵌入が完了した状態では、（掛け止め要素６を押圧することによって）掛け止め要素６の第１位置における掛け止めが解除可能となり、第１位置から第２位置へと移動できるようになる。
【００５７】
上記のように、ここまでの動作によって、ソケットハウジング５のベースハウジング３に対する嵌入は完了している。そして、この状態からコネクタ１の接続を完了するには、掛け止め要素６の挿入を完了する（掛け止め要素６を第２の位置へ移動させる）必要がある。その理由としては、（１）掛け止め要素６が完全に挿入されていない状態では、ソケットハウジング５がベースハウジング３から分離してしまう可能性があり、（２）（図６では、ソケットハウジング５はベースハウジング３に対して嵌入しているが）嵌入が完了していない状態、すなわち、ソケットハウジング５とベースハウジング３とが半嵌合の状態かどうかを確認する必要があるためである。
【００５８】
ソケットハウジング５がベースハウジング３に嵌入された状態（嵌入完了状態）において、第１の位置にある掛け止め要素６が押圧されると、掛け止め要素６とベースハウジング３とが接触することで第１の位置における掛け止めが解除され、掛け止め要素６が第２の位置に移動可能となる。より詳細には、ソケットハウジング５がベースハウジング３に嵌入された状態において、第１の位置にある掛け止め要素６が押圧されると、掛け止め要素６の一対の第１掛け止め解除部６ｋ，６ｋと、ベースハウジング３の一対の第２掛け止め解除部３ｋ，３ｋと、が接触することで、一対の第１脚部６ｂ，６ｂが弾性的に撓み、一対の第１突出部６ｃ、６ｃが一対の第１突出受け部５ｂ、５ｂから外れることで第１の位置における掛け止めが解除され、掛け止め要素６が第２の位置に移動可能となる。
【００５９】
一対の第１脚部６ｂ，６ｂの撓みについてさらに詳細に説明する。図６の状態から、例えば指で掛け止め要素６押圧部６ｐを押すと、一対の第１脚部６ｂ，６ｂの根元において、一対の第１脚部６ｂ，６ｂの先端部が互いに外側に開く方向への力のモーメントが作用する。図９は、掛け止め要素６の挿入動作における途中の状態を示している。この状態においては、一対の第１脚部６ｂ，６ｂ先端部の一対の第１掛け止め解除部６ｋ，６ｋが、一対の第２掛け止め解除部３ｋ，３ｋの入口の傾斜面３ｘ，３ｘに接触することによって、一対の第１脚部６ｂ，６ｂが互いに外側へと撓む（図９の矢印Ｊ参照）。そして、一対の第１脚部６ｂ，６ｂがこのように弾性的に撓むことで、掛け止め要素６が第１の位置から第２の位置へ移動可能となる。
【００６０】
さらに詳細に説明すると、一対の第１脚部６ｂ，６ｂ先端部の一対の第１掛け止め解除部６ｋ，６ｋは、それらの内側であって、且つ、嵌入方向奥側の先端部が傾斜面を有する形状となっている。そのため、一対の第１掛け止め解除部６ｋ，６ｋと傾斜面３ｘ，３ｘとが接触したときに、一対の第１脚部６ｂ，６ｂが撓み易くなっている。
【００６１】
そして、図９の状態からさらに掛け止め要素６を押し込むことによって、掛け止め要素が第２の位置に移動して、掛け止め要素６の挿入が完了する。その結果、ソケットハウジング５とベースハウジング３との接続が完了する（図７、１０、１１、１２（ｂ）参照）。より具体的に説明すると、ソケットハウジング５がベースハウジング３に嵌入した状態において、掛け止め要素６が第２の位置にあるときに、一対の第１突出部６ｃ，６ｃが一対の第２突出受け部３ｃ，３ｃに引っ掛けられることで、ベースハウジング３とソケットハウジング５との接続が完了する（図１１参照）。また、これにより、コネクタ１の接続が完了する。そして、コネクタ１の接続が完了した状態では、ベースハウジング３にソケットハウジング５が嵌入しているので、二つの第１端子２，２と二つの第２端子４，４とは電気的に接続された状態となっている。
【００６２】
また、ベースハウジング３とソケットハウジング５との接続が完了した状態では、窪み部５ｔに対して押圧部６ｐが嵌る。
【００６３】
また、掛け止め要素６は、ソケットハウジング５がベースハウジング３に嵌入した状態において、掛け止め要素６が第２の位置にあるときに、突出部５ｐが突出受け部３ｐから外れることを抑制する。具体的には、掛け止め要素６が第２の位置にあるときに、掛け止め要素６の押圧部６ｐが窪み部５ｔに対して嵌り、それにより、支持部５ｇの嵌入方向手前側の先端部が引き出し方向へ移動しないように、支持部５ｇの押圧面５ｖが、押圧部６ｐの先端部６ｖによって支持されることになる（図１２（ｂ）参照）。そのため、例えば、押圧面５ｚが引き出し方向へ押圧された場合であっても、突出部５ｐが、引き出し方向とは反対の方向へ移動するような（すなわち、突出部５ｐが、突出受け部３ｐから外れ易くなるような）支持部５ｇの変形が、掛け止め要素６によって抑制される。その結果、掛け止め要素６は、掛け止め要素６が第２の位置にあるときに、突出部５ｐが突出受け部３ｐから外れることを抑制する。
【００６４】
また、ベースハウジング３とソケットハウジング５との接続が完了して、窪み部５ｔに対して押圧部６ｐが嵌った状態では、平面部５ｓと押圧面６ｓとが、同一平面上に位置する（図７、１０、１１、１２（ｂ）参照）。なお、本実施形態では、このように構成されているが、ベースハウジングとソケットハウジングとの接続が完了して、窪み部に対して押圧部が嵌った状態において、平面部と押圧面とが同一平面上に位置しなくても、平面部が位置する平面に対して、押圧面が、（掛け止め要素の挿入方向に関して）奥側に位置していてもよい。
【００６５】
以上のようにして、掛け止め要素６を押すという一回の動作によって、ソケットハウジング５とベースハウジング３との接続が完了する。
【００６６】
（効果）
次に、本実施形態にかかるコネクタ１の効果について説明する。コネクタ１は、二つの第１端子２，２を支持し、基板１０に取り付けられるベースハウジング３と、二つの第１端子２，２に対して電気的に接続される二つの第２端子４，４を支持し、ベースハウジング３に嵌入するソケットハウジング５と、ソケットハウジング５に対して掛け止めされ、且つ、ソケットハウジング５を貫通するようにソケットハウジング５に対して挿入される掛け止め要素６と、を有している。そして、ベースハウジング３にソケットハウジング５が嵌入すると、二つの第１端子２，２と二つの第２端子４，４とは電気的に接続された状態となり、二つの第２端子４，４は、少なくとも一つの第２端子４を含む第１の端子グループ４ｆと、少なくとも一つの第２端子４を含む第２の端子グループ４ｓと、を有して構成され、第１の端子グループ４ｆ及び第２の端子グループ４ｓのそれぞれは、通電時において、第１の端子グループ４ｆ及び第２の端子グループ４ｓの一方よりも他方が高電位となるタイミングを有するように、電圧の印加が可能なものであり、掛け止め要素６は、ソケットハウジング５に対して、第１の位置及び第２の位置の間で移動でき、且つ、第１の位置においてソケットハウジング５に対して掛け止めされ、ソケットハウジング５がベースハウジング３に嵌入された状態において、第１の位置にある掛け止め要素６が押圧されると、掛け止め要素６とベースハウジング３とが接触することで第１の位置における掛け止めが解除され、掛け止め要素６が第２の位置に移動可能となり、掛け止め要素６は、第１の端子グループ４ｆと第２の端子グループ４ｓとの間の位置において、ソケットハウジング５を貫通するように配置されている。
【００６７】
この構成によると、ソケットハウジング５がベースハウジング３に嵌入された状態において、第１の位置にある掛け止め要素６が押圧されると、掛け止め要素６とベースハウジング３とが接触することで第１の位置における掛け止めが解除され、掛け止め要素６が第２の位置に移動可能となる。そのため、掛け止め要素６が第１の位置から移動可能かどうかを確認することによって、容易且つ確実に嵌入状態の確認ができる。
【００６８】
また、この構成によると、掛け止め要素６は、二つの第２端子４，４における、第１の端子グループ４ｆと第２の端子グループ４ｓとの間の位置において、ソケットハウジング５を貫通するように配置される。すなわち、第１の端子グループ４ｆ及び第２の端子グループ４ｓからなる実質的に２極型のコネクタにおいて、掛け止め要素６が電極間に挿入されることになる。そのため、例えば、高電圧の印加が必要な基板に用いられる、電源接続用のコネクタにおいて、広げられた電極間のスペースを有効利用できる。
【００６９】
また、２極間の最大電位差が大きい場合には、電極間は絶縁されている必要があり、それに関連して、２極間における電流の伝達距離は長い方が良い。そこで、この構成によると、まず、掛け止め要素６を絶縁材料を用いて形成し、その掛け止め要素６を電極間に挿入することで、少なくとも、掛け止め要素６が無い場合と同程度の絶縁性能は確保される。さらに、掛け止め要素６を挿入するための挿入孔（５ｊ，３ｚ）をハウジング（ソケットハウジング５、ベースハウジング３）に形成し、そこに掛け止め要素６を挿入する構成とすることで、ハウジングにおいて、少なくとも電極間部分の沿面距離が確保されるために、掛け止め要素６及び挿入孔（５ｊ，３ｚ）が無い均一な状態に比べて、２極間における電流の伝達距離を長くすることができる。その結果、電極間（第１端子グループ４ｆと第２端子グループ４ｓとの間）において電流が流れ難くなり、２極間の最大電位差が大きい場合であっても、電極間がより確実に絶縁される。以上のように、この構成によると、容易且つ確実に嵌入状態の確認ができると共に、電極間のスペースを有効利用できる。
【００７０】
なお、“第１の端子グループ４ｆ及び第２の端子グループ４ｓの一方よりも他方が高電位となるタイミングを有する”とは、例えば、本実施形態のように、第１の端子グループ４ｆ及び第２の端子グループ４ｓのそれぞれに対して交流電圧が印加された場合に、一方が、他方よりも高電位になるタイミング（瞬間）があればよい、という意味であり、この場合の第１の端子グループ４ｆ及び第２の端子グループ４ｓの電位の高低の関係は、本実施形態において示したように、時間の経過と共に入れ替わるものであってもよい。また、これ以外にも、例えば、第１の端子グループ及び第２の端子グループのそれぞれに対して直流電圧が印加されるような場合には、一方が他方よりも高電位である状態が（高低関係が入れ替わることなく）維持されることも考えられるが、このような状態も含まれる意味であるとする。
【００７１】
また、二つの第２端子４，４に対して二つの電線７，７が接続されており、ソケットハウジング５のベースハウジング３に対する嵌入方向と、ソケットハウジング５からの電線７，７の引き出し方向と、は直交している。これにより、電線７，７の引き出し方向と嵌入方向とが直交しているために、電線７，７が引っ張られた場合であっても、ソケットハウジング５がベースハウジング３から抜けにくい構造とすることができる。
【００７２】
また、液晶パネルの大型化に伴い、液晶パネル用のインバータ基板における電源接続用のコネクタにおいては、作業者から接続口が見え難かったり、接続し難い位置にベースハウジングがあったりする場合が多い。そのため、嵌入方向と電線引き出し方向とが一致しているサイドタイプのコネクタでは、コネクタの接続が困難であり、接続が完了していない半嵌合状態となりやすい。一方、このようにコネクタをＬ字接続型とすることで、接続の際の作業性が向上し、コネクタをより確実に且つより容易に接続できる。
【００７３】
また、ソケットハウジング５には平面部５ｓが形成され、且つ、ソケットハウジング５には、平面部５ｓに隣接して、平面部５ｓに対して窪んだ窪み部５ｔが形成されており、掛け止め要素６は、押圧される部分である板状の押圧部６ｐを有しており、ソケットハウジング５がベースハウジング３に嵌入した状態において、掛け止め要素６が第２の位置にあるときに、ベースハウジング３とソケットハウジング５との接続が完了し、ベースハウジング３とソケットハウジング５との接続が完了した状態では、窪み部５ｔに対して押圧部６ｐが嵌る。このため、押圧部６ｐが窪み部５ｔに嵌っていることを確認することで、容易に嵌合確認をすることができる。なお、平面部５ｓ及び窪み部５ｔはなくてもよい。
【００７４】
また、押圧部６ｐには、押圧される押圧面６ｓが形成されており、ベースハウジング３とソケットハウジング５との接続が完了して、窪み部５ｔに対して押圧部６ｐが嵌った状態では、平面部５ｓと押圧面６ｓとが、同一平面上に位置する。そのため、平面部５ｓと押圧面６ｓとの位置関係を、指で触ること等により比べることで、容易且つ確実に嵌合確認をすることができる。なお、接続完了時において、平面部５ｓと押圧面６ｓとは、同一平面上に位置していなくてもよい。
【００７５】
また、掛け止め要素６は、押圧部６ｐから突出形成された一対の第１脚部６ｂ，６ｂを有しており、一対の第１脚部６ｂ，６ｂのそれぞれは、突出形成された第１突出部６ｃを有し、ソケットハウジング５は、一対の第１突出部６ｃ，６ｃが引っ掛けられることで、ソケットハウジング５に対して掛け止め要素６が掛け止めされる一対の第１突出受け部５ｂ，５ｂを有し、ベースハウジング３は、一対の第１突出部６ｃ，６ｃが引っ掛けられることで、ベースハウジング３と掛け止め要素６との分離を抑制する一対の第２突出受け部３ｃ，３ｃを有し、一対の第１脚部６ｂ，６ｂのそれぞれには第１掛け止め解除部６ｋ，６ｋが形成され、且つ、ベースハウジング３には一対の第２掛け止め解除部３ｋ，３ｋが形成されており、ソケットハウジング５がベースハウジング３に嵌入された状態において、第１の位置にある掛け止め要素６が押圧されると、掛け止め要素６の一対の第１掛け止め解除部６ｋ，６ｋと、ベースハウジング３の一対の第２掛け止め解除部３ｋ，３ｋと、が接触することで、一対の第１脚部６ｂ，６ｂが弾性的に撓み、一対の第１突出部６ｃ，６ｃが一対の第１突出受け部５ｂ，５ｂから外れることで第１の位置における掛け止めが解除され、掛け止め要素６が第２の位置に移動可能となり、ソケットハウジング５がベースハウジング３に嵌入した状態において、掛け止め要素６が第２の位置にあるときに、一対の第１突出部６ｃ，６ｃが一対の第２突出受け部３ｃ，３ｃに引っ掛けられることで、ベースハウジング３とソケットハウジング５との接続が完了する。これにより、容易且つ確実に嵌入状態の確認ができる構成を、簡易な構成により実現できる。また、コネクタ１の接続動作と、掛け止め要素６の押し込み動作とを、一連の動作で、且つ、全体として一回の動作で実現できる。また、掛け止め要素６によって、ソケットハウジング５及びベースハウジング３の分離を確実に抑制できる。
【００７６】
また、ソケットハウジング５は、突出形成された突出部５ｐを有し、ベースハウジング３は、突出部５ｐが引っ掛けられることで、ベースハウジング３とソケットハウジング５との分離を抑制する突出受け部３ｐを有し、ソケットハウジング５がベースハウジング３に嵌入した状態においては、突出部５ｐは突出受け部３ｐに引っ掛けられた状態となり、掛け止め要素６は、ソケットハウジング５がベースハウジング３に嵌入した状態において、掛け止め要素６が第２の位置にあるときに、突出部５ｐが突出受け部３ｐから外れることを抑制する。これにより、突出部５ｐが突出受け部３ｐに引っ掛けられることで、ソケットハウジング５とベースハウジング３との分離が抑制され、さらに、掛け止め要素６によって、突出部５ｐが突出受け部３ｐから外れることが抑制されるので、ソケットハウジング５及びベースハウジング３の分離をより確実に防止できる。なお、突出部５ｐ及び突出受け部３ｐはなくてもよい。
【００７７】
また、掛け止め要素６は、ソケットハウジング５のベースハウジング３への嵌入が完了しなければ第１の位置から第２の位置へと移動できないため、掛け止め要素６の位置を確認することによって、ソケットハウジング５の嵌入状態を確認できる。また、ソケットハウジング５のベースハウジング３への嵌入が完了した後において、掛け止め要素６が第２位置に移動したかどうか、すなわち、コネクタ１の接続が完了したかどうかは、平面部５ｓと押圧面６ｓとが同一平面上に位置しているかどうかを確認することによって確認できる。また、掛け止め要素６が第２位置へ移動することで、ソケットハウジング５がベースハウジングから抜け難くなり、コネクタ１の接続が完了する。以上のように、コネクタ１の構成によると、接続状態を容易に確認でき、さらに、ソケットハウジング５とベースハウジング３との分離が抑制される。
【００７８】
また、コネクタ１においては、電極間のスペースに、掛け止め要素６の一対の第１脚部６ｂ，６ｂが配置されるため、上記の特許文献２の技術（掛け止め要素が二つの電気端子を覆うように配置されている）とは異なり、掛け止め要素がコネクタの幅方向に広がることが無い。そのため、この構成により、コネクタを大型化することなく、容易且つ確実に嵌入状態の確認ができると共に、電極間のスペースを有効利用できることになる。
【００７９】
（第２実施形態）
次に、本発明の第２実施形態に係るコネクタについて、上記の実施形態と異なる部分を中心に説明する。なお、上記の実施形態と同様の部分については、図に同一の符号を付してその説明を省略する。図１３は、本発明の第２実施形態に係るコネクタの斜視概略図である。
【００８０】
第２実施形態にかかるコネクタ１０１は、第１実施形態とは異なり、ソケットハウジング１０５に支持部がない。つまり、掛け止め要素１０６のみによってソケットハウジング１０５とベースハウジング１０３との分離が抑制されることになる。コネクタはこのように構成されていてもよい。
【００８１】
（第３実施形態）
次に、本発明の第３実施形態に係るコネクタについて、上記の実施形態と異なる部分を中心に説明する。なお、上記の実施形態と同様の部分については、図に同一の符号を付してその説明を省略する。図１４は、本発明の第３実施形態に係るコネクタの断面概略図である。図１４における断面は、第１実施形態における図１２（ｂ）に対応するものであり、以下、本実施形態について、図１２（ｂ）と異なる部分を中心に説明する。
【００８２】
第３実施形態にかかるコネクタ２０１は、掛け止め要素２０６及びそれを受け入れるベースハウジング２０３の形状が第１実施形態とは異なる。具体的には、本実施形態では、突出部５ｐが突出受け部２０３ｐから外れることを防止するために、掛け止め要素２０６の先端部２０６ｖで押圧面５ｖを支持するだけでなく、板状の支持部２０６ｇが、掛け止め要素６の支持部５ｇの変形を抑制可能なように設けられており、且つ、ベースハウジング２０３にも、支持部２０６ｇを受け入れられる窪み部２０３ｑが形成されていることで、支持部５ｇの嵌入方向奥側の端部が撓むことを抑制している。そのため、掛け止め要素２０６により、突出部５ｐが突出受け部２０３ｐから外れてしまうことが、より確実に抑制される。コネクタはこのように構成されていてもよい。
【００８３】
（第４実施形態）
次に、本発明の第４実施形態に係るコネクタについて、上記の実施形態と異なる部分を中心に説明する。なお、上記の実施形態と同様の部分については、図に同一の符号を付してその説明を省略する。図１５は、本発明の第４実施形態に係るコネクタを構成するソケットハウジングの上面視概略図である。なお、図１５は上面視概略図ではあるが、説明のために、図１５には、外側から見えない内部構造をも示している。
【００８４】
第４実施形態にかかるコネクタ（コネクタ全体については図示を省略）においては、第１実施形態とは異なり、ソケットハウジング３０５が、四つの第２端子３０４を支持し、且つ、これに四本の電線３０７が接続されている。第１実施形態の第２端子は二つであるが、本実施形態のように、第２端子は四つであってもよい。
【００８５】
本実施形態において、四つの第２端子３０４のそれぞれは、３０４ａ，３０４ｂ，３０４ｃ，３０４ｄであり、四つの電線３０７のそれぞれは、電線３０７ａ，３０７ｂ，３０７ｃ，３０７ｄとなっている（図１５参照）。そして、第２端子３０４ａ，３０４ｂ，３０４ｃ、３０４ｄに対して、順に、電線３０７ａ，３０７ｂ，３０７ｃ，３０７ｄが接続されている。また、電線３０７ａ，３０７ｂから構成される電線群３０７ｆは、電源用電線（ホットライン）となっており、電線３０７ｃ，３０７ｄから構成される電線群３０７ｓは、接地電位とするためのグラウンド用電線（コールドライン）となっている。その結果、第１の端子グループ３０４ｆは、第２端子３０４ａ，３０４ｂによって構成され、第２の端子グループ３０４ｓは、第２端子３０４ｃ，３０４ｄによって構成される。すなわち、第１の端子グループ３０４ｆ、第２の端子グループ３０４ｓは、それぞれ、少なくとも一つの第２端子３０４を含んでいる。
【００８６】
そして、第１の端子グループ３０４ｆ及び第２の端子グループ３０４ｓのそれぞれは、通電時において、第１の端子グループ３０４ｆ及び第２の端子グループ３０４ｓの一方よりも他方が高電位となるタイミングを有するように、電圧の印加が可能なものであり、第１の端子グループ３０４ｆ及び第２の端子グループ３０４ｓには、そのようなタイミングを有するように電圧が印加される。そして、第１の端子グループ３０４ｆ及び第２の端子グループ３０４ｓのそれぞれには、一方が他方よりも高電位となるという高低関係を互いに入れ替えつつ、交流電圧が印加される。具体的には、電線３０７ｃ，３０７ｄは、接地電位に維持され、電線３０７ａ，３０７ｂの電位が、高電位側（正側）及び低電位側（負側）の間で周期的に変化するため、第１の端子グループ３０４ｆ及び第２の端子グループ３０４ｓの一方が他方よりも高電位となるタイミングが生じる（両者の電位が同電位になる瞬間もある）。このように、２極間には、時間の経過に応じて電位差が生じる。なお、本実施形態に関して、“２極”とは、高電位の第１の端子グループ３０４ｆ、及び、低電位の第２の端子グループ３０４ｓの２極のことであり、それぞれの端子グループが一つの電極に対応するものとする。
【００８７】
例えば、太い電線を使えないような場合に、本実施形態のように、電源用電線（グラウンド用電線）を二本以上に分けてコネクタに使用することがある。このような場合に、第２端子３０４の数としては四つであり、外見上は４極のようであるが、実質的には２極であるといえる。そして、第１の端子グループ３０４ｆ、及び、第２の端子グループ３０４ｓの間に、掛け止め要素３０６が配置されている。コネクタはこのように構成されていてもよい。特に、電極間の最大電位差が大きい場合には、電極間の距離が長くなるために、電極間（第１の端子グループ３０４ｆ、及び、第２の端子グループ３０４ｓの間）のスペースを有効に利用できる。なお、当然ながら、本実施形態に係るコネクタにおいては、図示しないが、ベースハウジングも、四つの第１端子を支持して構成される。
【００８８】
以上、本発明の実施形態について説明したが、本発明は上述の実施の形態に限られるものではなく、特許請求の範囲に記載した限りにおいて様々に変更して実施することができるものである。
【００８９】
例えば、上記の実施形態は、液晶パネル用のインバータ基板における電源接続用コネクタとして説明しているが、本発明に係るコネクタの用途はこのようなものには限られず、その他にも、例えば、冷蔵庫やエアコンなどの一般的な家電製品へ適用することができる。
【００９０】
また、上記の実施形態は、Ｌ字接続型のコネクタとして説明しているが、Ｌ字接続型のものには限られず、本発明の技術がサイドタイプのコネクタに適用されても良い。
【００９１】
また、上記の実施形態では、第１の端子グループ及び第２の端子グループにそれぞれ接続される電線のうち、一方は電源用電線（ホットライン）となり、他方は、接地電位とするためのグラウンド用電線（コールドライン）となるように、第１の端子グループ及び第２の端子グループに対して交流電圧が印加されるものとなっているが、このようなものには限られない。例えば、一方の電線には交流電圧が通電し、他方の電線には、この一方の電線の電圧を完全に正負反転させた電圧が通電するように、第１の端子グループ及び第２の端子グループに対して電圧が印加されるものであってもよい。また、一方の電線には交流電圧が通電し、他方の電圧には、この一方の電圧よりも、電圧の絶対値が小さい電圧が通電するように、第１の端子グループ及び第２の端子グループに対して電圧が印加されるものであってもよい。また、第１の端子グループ及び第２の端子グループには、直流電圧が印加されてもよい。また、第１の端子グループ及び第２の端子グループに対して、互いに同電位であり、且つ、互いに位相が異なる電圧が印加されてもよい。
【００９２】
また、上記の実施形態では、基板に対して外部の電源からの電力を供給するためのコネクタについて説明しているが、本発明にかかるコネクタは、基板からの電力を、外部に対して送り出すために用いられてもよい。
【図面の簡単な説明】
【００９３】
【図１】本発明の第１実施形態に係るコネクタの全体構成を示す側面視概略図である。
【図２】図１のベースハウジングの概略図であり、（ａ）は背面図、（ｂ）は上面図、（ｃ）は正面図、（ｄ）は側面図を示す。
【図３】図１のソケットハウジングの概略図であり、（ａ）は背面図、（ｂ）は上面図、（ｃ）は正面図、（ｄ）は側面図を示す。
【図４】図１の掛け止め要素の概略図であり、（ａ）は上面図、（ｂ）は側面図、（ｄ）は背面図を示す。
【図５】図１のコネクタの接続動作における一過程を示す斜視概略図である。
【図６】図１のコネクタの接続動作における一過程を示す斜視概略図である。
【図７】図１のコネクタの接続動作における接続完了状態を示す斜視概略図である。
【図８】図１のコネクタの接続動作における一過程を示す断面斜視概略図である。
【図９】図１のコネクタの接続動作における一過程を示す断面斜視概略図である。
【図１０】図１のコネクタの接続動作における接続完了状態を示す断面斜視概略図である。
【図１１】図１のコネクタの接続動作における接続完了状態を示す断面概略図である。
【図１２】図１のコネクタの接続動作を示す断面概略図であり、（ａ）は接続完了前の状態、（ｂ）は接続完了状態を示す。
【図１３】本発明の第２実施形態に係るコネクタの斜視概略図である。
【図１４】本発明の第３実施形態に係るコネクタの断面概略図である。
【図１５】本発明の第４実施形態に係るコネクタを構成するソケットハウジングの上面視概略図である。
【符号の説明】
【００９４】
１，１０１，２０１    コネクタ
２    第１端子
３，１０３，２０３    ベースハウジング
３ｃ    第２突出受け部
３ｋ    第２掛け止め解除部
３ｐ，２０３ｐ    突出受け部
４，３０４    第２端子
４ｆ，３０４ｆ    第１の端子グループ
４ｓ，３０４ｓ    第２の端子グループ
５，１０５    ソケットハウジング
５ｂ    第１突出受け部
５ｐ    突出部
５ｓ，１０５ｓ    平面部
５ｔ，１０５ｔ    窪み部
６，１０６，２０６，３０６    掛け止め要素
６ｂ    第１脚部
６ｃ    第１突出部
６ｋ    第１掛け止め解除部
６ｐ    押圧部
６ｓ，２０６ｓ    押圧面
７、３０７    電線
１０    基板
【図１】
2009004247.tif 000003
【図２】
2009004247.tif 000004
【図３】
2009004247.tif 000005
【図４】
2009004247.tif 000006
【図５】
2009004247.tif 000007
【図６】
2009004247.tif 000008
【図７】
2009004247.tif 000009
【図８】
2009004247.tif 000010
【図９】
2009004247.tif 000011
【図１０】
2009004247.tif 000012
【図１１】
2009004247.tif 000013
【図１２】
2009004247.tif 000014
【図１３】
2009004247.tif 000015
【図１４】
2009004247.tif 000016
【図１５】
2009004247.tif 000017